(57)【要約】【課題】ビット誤り率を効率よく測定するためのＴＬＶパケットを用いてデータ伝送するデジタル放送の送信装置、受信装置、ビット誤り率測定装置及びプログラムを提供する。【解決手段】本発明の送信装置１は、擬似ランダム信号にパリティビットを付加し、それをデータ領域に格納したＴＬＶパケットを生成し受信装置２、或いは受信機能付きのビット誤り率測定装置３に向けて伝送する。受信装置２は、当該ＴＬＶパケットを受信してパリティチェックを行った上で当該ＴＬＶパケットをビット誤り率測定装置３に出力する。ビット誤り率測定装置３は、ビット誤り率を測定する際に、総ビット数をカウントしながら、パリティエラーが有ることを示す当該フラグが設定されたＴＬＶパケットに対してのみ誤りビット数をカウントし、パリティエラーが無いことを示すＴＬＶパケットに対しては誤りビット数を０とみなして誤りビット数のカウントを省略する。【選択図】図１
2019216327.tif 000002
【特許請求の範囲】
【請求項１】
ＴＬＶパケットを用いてデータ伝送するデジタル放送の送信装置であって、
擬似ランダム信号を生成し、該擬似ランダム信号にパリティビットを付加したビット誤り率を測定するためのデータを生成する測定用データ生成手段と、
該データを格納したＴＬＶパケットを伝送するための送信信号を生成し出力する送信手段と、
を備えることを特徴とする送信装置。
【請求項２】
請求項１に記載の送信装置から前記送信信号を受信して前記ＴＬＶパケットを抽出するＴＬＶパケット抽出手段と、
該ＴＬＶパケットを再生して当該パリティビットを用いたパリティチェックを行い、パリティエラーの有りと無しのいずれか一方、又はその双方を示すフラグをＴＬＶパケット内のパケット種別領域の未定義項目に設定する測定用データ誤り判定手段と、
該フラグを設定したＴＬＶパケットをビット誤り率の測定用に出力するＴＬＶパケット出力手段と、
を備えることを特徴とする受信装置。
【請求項３】
請求項２に記載の受信装置から、前記ビット誤り率の測定用のＴＬＶパケットを入力し、前記送信装置によって生成した擬似ランダム信号と同一の擬似ランダム信号を自己生成可能とするようＴＬＶパケットの受信の同期を確立する同期確立手段と、
該同期を確立したＴＬＶパケットのパケット種別領域の内容を基に、パリティエラーが有るか否かを判定するパリティエラー判定手段と、
前記送信装置によって生成した擬似ランダム信号と同一の擬似ランダム信号のデータを自己生成する擬似ランダム信号データ生成手段と、
該パリティエラーの判定結果を基に、総ビット数をカウントしながら、パリティエラーが有ることを示すＴＬＶパケットに対してのみ、前記送信装置によって生成した擬似ランダム信号と当該自己生成した擬似ランダム信号とを比較して誤りビット数をカウントし、パリティエラーが無いことを示すＴＬＶパケットに対しては誤りビット数を０とみなして誤りビット数のカウントを省略してビット誤り率を測定するビット誤り率算出手段と、
を備えることを特徴とするビット誤り率測定装置。
【請求項４】
請求項１に記載の送信装置から前記送信信号を受信してビット誤り率の測定用のＴＬＶパケットを抽出するＴＬＶパケット抽出手段と、
該ビット誤り率の測定用のＴＬＶパケットを入力し、前記送信装置によって生成した擬似ランダム信号と同一の擬似ランダム信号を自己生成可能とするようＴＬＶパケットの受信の同期を確立する同期確立手段と、
該同期を確立したＴＬＶパケットを再生して当該パリティビットを用いたパリティチェックを行い、パリティエラーの有無を判定するパリティチェック手段と、
前記送信装置によって生成した擬似ランダム信号と同一の擬似ランダム信号のデータを自己生成する擬似ランダム信号データ生成手段と、
該パリティチェックの判定結果を基に、総ビット数をカウントしながら、パリティエラーが有ることを示すＴＬＶパケットに対してのみ、前記送信装置によって生成した擬似ランダム信号と当該自己生成した擬似ランダム信号とを比較して誤りビット数をカウントし、パリティエラーが無いことを示すＴＬＶパケットに対しては誤りビット数を０とみなして誤りビット数のカウントを省略してビット誤り率を測定するビット誤り率算出手段と、
を備えることを特徴とするビット誤り率測定装置。
【請求項５】
前記送信装置によって生成した擬似ランダム信号と同一の擬似ランダム信号を自己生成可能とするよう制御するとともに、ビット誤り率測定に係る測定開始に関して少なくとも前記送信装置を遠隔制御する測定制御手段を更に備えることを特徴とする、請求項３又は４に記載のビット誤り率測定装置。
【請求項６】
コンピューターを、請求項２に記載の受信装置として機能させるためのプログラム。
【請求項７】
コンピューターを、請求項３から５のいずれか一項に記載のビット誤り率測定装置として機能させるためのプログラム。
【発明の詳細な説明】
【技術分野】
【０００１】
本発明は、ビット誤り率を測定するためのＴＬＶ（Type Length Value）パケットを用いてデータ伝送するデジタル放送の送信装置、受信装置、ビット誤り率測定装置及びプログラムに関する。
【背景技術】
【０００２】
デジタル放送においても、通信で用いられているＩＰ（Internet Protocol）パケットを用いてコンテンツを伝送することで、放送と通信の送受信における処理を共通化することができる。また、異なる特徴を持つ放送と通信の組み合わせが容易になり、多様なフォーマットのコンテンツを多様なデバイスに伝送することが可能になる。
【０００３】
そこで、デジタル放送においてＩＰパケットを効率的に伝送するために、ＩＰパケットをＴＬＶパケット化して伝送する技法が提案され、ＩＴＵ−ＲやＡＲＩＢ（Association of Radio Industries and Businesses：電波産業会）の規格として採用されている（例えば、非特許文献１参照）。
【０００４】
そして、ＩＰパケットをＴＬＶパケット化して効率よく伝送するために、現在の地上デジタルテレビジョン方式に代わる次世代のデジタル放送の伝送方式の開発が進められている。
【０００５】
ところで、デジタル伝送路において伝送品質を評価するため、式（１）で定義されるビット誤り率がよく用いられる。デジタル放送において、ＴＬＶパケットを用いてビット誤り率を測定するには、ＴＬＶパケットのデータ領域に擬似ランダム信号を格納して伝送し、これを受信する受信装置に対しビット誤り率測定装置を設けることで、伝送路のビット誤り率を測定することができる。
【０００６】
ビット誤り率＝（誤りビット数）／（総ビット数）                  （１）
【０００７】
例えば次の手順により、ビット誤り率測定装置はビット誤り率を測定できることが知られている（例えば、非特許文献２参照）。
１）まず、送信装置は、送信装置側とビット誤り率測定装置側とで同期させた擬似ランダム信号Ａを生成し、伝送路を介して当該擬似ランダム信号Ａを受信装置側へ送信する。
２）続いて、受信装置に対し設けられるビット誤り率測定装置は、ビット誤り率の測定にあたって、受信装置にて伝送路を介して受信した擬似ランダム信号Ａに対応する擬似ランダム信号Ａ’と、自らが生成した擬似ランダム信号Ａとを比較し、誤りビット数をカウントし、これによりビット誤り率を測定する。
【０００８】
伝送信号のビットレートが不定の伝送方式であれば、仮に受信装置側でカウントを中断すると、送信装置側及びビット誤り率測定装置側で擬似ランダム信号の同期をとり直さなければならなくなる。しかし、デジタル放送であれば、図７に示すように、例えば固定受信向けデータ及び移動受信向けデータを伝送制御信号（ＴＭＣＣ信号とも称される）と共にＴＬＶパケット化して伝送する際には、送信装置１及び受信装置２間で、これらの伝送信号のビットレートを常に一定とすることができる。
【０００９】
従って、デジタル放送の伝送システムにおいて、受信装置２に対しビット誤り率測定装置を設けるときは、送信装置１側と受信装置２及び当該ビット誤り率測定装置側とで、一旦同期を確立すれば、送信装置１側及び当該ビット誤り率測定装置側のそれぞれでの擬似ランダム信号の生成を中断しない限り、誤りビット数のカウントだけを中断しても同期は保たれるという利点がある。
【先行技術文献】
【非特許文献】
【００１０】
【非特許文献１】“デジタル方式における映像符号化、音声符号化及び多重化方式”，ARIB STD-B32，電波産業会，3.10版，2018年4月12日改定
【非特許文献２】アンリツ株式会社 計測サポートセンター，“BER測定のイロハ”， ［online］,［平成30年5月20 日検索］、インターネット〈URL: https://www.anritsu-customersupport.com/Data/Sites/1/media/pdf/melmaga/201312-02.pdf〉
【発明の概要】
【発明が解決しようとする課題】
【００１１】
上述したように、デジタル放送におけるＴＬＶパケットにおけるビット誤り率の測定にあたって、ＴＬＶパケットのデータ領域に擬似ランダム信号を格納して伝送することで、受信装置に対し設けられたビット誤り率測定装置により伝送路のビット誤り率を測定することができる。しかし、従来技法では、全てのパケットに対してビット誤り率を測定する必要があり、ビット誤り率測定装置の負荷が大きくなり改善の余地があった。
【００１２】
そこで、本発明の目的は、上述した問題に鑑みて、ビット誤り率を効率よく測定するためのＴＬＶパケットを用いてデータ伝送するデジタル放送の送信装置、受信装置、ビット誤り率測定装置及びプログラムを提供することにある。
【課題を解決するための手段】
【００１３】
本発明の送信装置は、ＴＬＶパケットを用いてデータ伝送するデジタル放送の送信装置であって、擬似ランダム信号を生成し、該擬似ランダム信号にパリティビットを付加したビット誤り率を測定するためのデータを生成する測定用データ生成手段と、該データを格納したＴＬＶパケットを伝送するための送信信号を生成し出力する送信手段と、を備えることを特徴とする。
【００１４】
また、本発明の受信装置は、本発明の送信装置から前記送信信号を受信して前記ＴＬＶパケットを抽出するＴＬＶパケット抽出手段と、該ＴＬＶパケットを再生して当該パリティビットを用いたパリティチェックを行い、パリティエラーの有りと無しのいずれか一方、又はその双方を示すフラグをＴＬＶパケット内のパケット種別領域の未定義項目に設定する測定用データ誤り判定手段と、該フラグを設定したＴＬＶパケットをビット誤り率の測定用に出力するＴＬＶパケット出力手段と、を備えることを特徴とする。
【００１５】
また、本発明による第１態様のビット誤り率測定装置は、本発明の受信装置から、前記ビット誤り率の測定用のＴＬＶパケットを入力し、前記送信装置によって生成した擬似ランダム信号と同一の擬似ランダム信号を自己生成可能とするようＴＬＶパケットの受信の同期を確立する同期確立手段と、該同期を確立したＴＬＶパケットのパケット種別領域の内容を基に、パリティエラーが有るか否かを判定するパリティエラー判定手段と、前記送信装置によって生成した擬似ランダム信号と同一の擬似ランダム信号のデータを自己生成する擬似ランダム信号データ生成手段と、該パリティエラーの判定結果を基に、総ビット数をカウントしながら、パリティエラーが有ることを示すＴＬＶパケットに対してのみ、前記送信装置によって生成した擬似ランダム信号と当該自己生成した擬似ランダム信号とを比較して誤りビット数をカウントし、パリティエラーが無いことを示すＴＬＶパケットに対しては誤りビット数を０とみなして誤りビット数のカウントを省略してビット誤り率を測定するビット誤り率算出手段と、を備えることを特徴とする。
【００１６】
また、本発明による第２態様のビット誤り率測定装置は、本発明の送信装置から前記送信信号を受信してビット誤り率の測定用のＴＬＶパケットを抽出するＴＬＶパケット抽出手段と、該ビット誤り率の測定用のＴＬＶパケットを入力し、前記送信装置によって生成した擬似ランダム信号と同一の擬似ランダム信号を自己生成可能とするようＴＬＶパケットの受信の同期を確立する同期確立手段と、該同期を確立したＴＬＶパケットを再生して当該パリティビットを用いたパリティチェックを行い、パリティエラーの有無を判定するパリティチェック手段と、前記送信装置によって生成した擬似ランダム信号と同一の擬似ランダム信号のデータを自己生成する擬似ランダム信号データ生成手段と、該パリティチェックの判定結果を基に、総ビット数をカウントしながら、パリティエラーが有ることを示すＴＬＶパケットに対してのみ、前記送信装置によって生成した擬似ランダム信号と当該自己生成した擬似ランダム信号とを比較して誤りビット数をカウントし、パリティエラーが無いことを示すＴＬＶパケットに対しては誤りビット数を０とみなして誤りビット数のカウントを省略してビット誤り率を測定するビット誤り率算出手段と、を備えることを特徴とする。
【００１７】
また、本発明による第１及び第２態様のビット誤り率測定装置において、前記送信装置によって生成した擬似ランダム信号と同一の擬似ランダム信号を自己生成可能とするよう制御するとともに、ビット誤り率測定に係る測定開始に関して少なくとも前記送信装置を遠隔制御する測定制御手段を更に備えることを特徴とする。
【００１８】
また、本発明のプログラムは、コンピューターを、本発明の受信装置として機能させるためのプログラムとして構成する。
【００１９】
また、本発明のプログラムは、コンピューターを、本発明のビット誤り率測定装置として機能させるためのプログラムとして構成する。
【発明の効果】
【００２０】
本発明によれば、デジタル放送のビット誤り率を効率よく測定できるようになる。
【図面の簡単な説明】
【００２１】
【図１】本発明に係るデジタル放送のビット誤り率を測定する際の一実施形態の伝送システムを概略的に示すブロック図である。
【図２】本発明による一実施形態の送信装置を概略的に示すブロック図である。
【図３】本発明による一実施形態の受信装置及び第１実施形態のビット誤り率測定装置を概略的に示すブロック図である。
【図４】（ａ）, （ｂ）は、それぞれＴＬＶパケットの信号フォーマットを示す図である。
【図５】（ａ）, （ｂ）は、それぞれデジタル放送のビット誤り率を測定する際の従来技法に基づく比較例の伝送システムの動作と、本発明の係る伝送システムの動作を概略的に示すフローチャートである。
【図６】本発明による第２実施形態のビット誤り率測定装置を概略的に示すブロック図である。
【図７】デジタル放送の伝送形態を概略的に示すブロック図である。
【発明を実施するための形態】
【００２２】
以下、図面を参照して、本発明に係る一実施形態の送信装置１及び受信装置２と、各実施形態のビット誤り率測定装置３について詳細に説明する。
【００２３】
〔第１実施形態〕
（ビット誤り率の測定に係る伝送システム）
図１は、本発明に係るデジタル放送のビット誤り率を測定する際の一実施形態の伝送システムを概略的に示すブロック図である。図１に示す伝送システムは、送信装置１、受信装置２、及び第１実施形態のビット誤り率測定装置３を備える。
【００２４】
詳細は後述するが、送信装置１は、擬似ランダム信号にパリティビットを付加し、それをデータ領域に格納したＴＬＶパケットを送信信号として生成し、受信装置２に向けて伝送する。ただし、後述する第２実施形態ではビット誤り率測定装置３が受信機能を有しており、当該送信信号を受信できるようになっている。
【００２５】
受信装置２は、当該ＴＬＶパケットを受信し、そのＴＬＶパケットを再生する際にパリティチェックを行い、パリティエラーの有無（パリティエラーの有りと無しのいずれか一方、又はその双方）を示すフラグをＴＬＶパケット内のパケット種別領域の未定義項目に設定して、当該ＴＬＶパケットをビット誤り率測定装置３に出力する。
【００２６】
ビット誤り率測定装置３は、ビット誤り率を測定する際に、総ビット数をカウントしながら、パリティエラーが有ることを示す当該フラグが設定されたＴＬＶパケットに対してのみ誤りビット数をカウントし、パリティエラーが無いことを示すＴＬＶパケットに対しては誤りビット数を０とみなして誤りビット数のカウントを省略する。これにより、ビット誤り率の測定に係る負荷を低減し、高効率化を図るものとなっている。
【００２７】
より具体的に、本発明に係る送信装置１、受信装置２、及びビット誤り率測定装置３の構成について説明する。
【００２８】
（送信装置）
図２は、本発明による一実施形態の送信装置１を概略的に示すブロック図である。図２に示す送信装置１は、図７に例示したような通常の送信データ（固定受信向けデータ、移動受信向けデータ及び伝送制御信号）に関してＴＬＶパケットを伝送可能とする装置であるが、モード設定信号に従い、図７に例示したような通常の送信データに関してＴＬＶパケットを伝送するか、疑似ランダム信号に基づくビット誤り率測定に係る送信データに関してＴＬＶパケットを伝送するかを切り替えるようになっている。
【００２９】
より具体的に、図２に示す送信装置１は、測定用データ生成部１１、切替部１２、ＴＬＶパケット生成部１３、及び変調部１４を備える。測定用データ生成部１１は、疑似ランダム信号に基づくビット誤り率測定に係る送信データを生成する機能部であり、疑似ランダム信号データ生成部１１１及びパリティビット付加部１１２を備える。尚、図２に示す送信装置１においては、ビット誤り率に影響を与えうる主要な構成要素として、代表して変調部１４のみを図示しているが、誤り訂正符号化処理やインターリーブ処理等の図示を省略している。
【００３０】
ここで、図２に示す送信装置１は、従来技法に基づくビット誤り率測定に係る送信装置と比較して、パリティビット付加部１１２を備える点で相違している。
【００３１】
まず、疑似ランダム信号データ生成部１１１は、モード設定信号に従い、後述するビット誤り率測定装置３と同期させる疑似ランダム信号を生成し、該疑似ランダム信号に基づくビット誤り率測定に係る送信データをパリティビット付加部１１２に出力する。本実施形態に係るモード設定信号は、図３を参照して後述するビット誤り率測定装置３から通信路経路で送信され、ビット誤り率測定装置３側からビット誤り率測定に係る測定開始を遠隔制御可能となっている。これにより、疑似ランダム信号データ生成部１１１は、後述するビット誤り率測定装置３と同期させる擬似ランダム信号を生成することができる。
【００３２】
パリティビット付加部１１２は、疑似ランダム信号データ生成部１１１によって生成した疑似ランダム信号に基づく送信データに対し所定のパリティ検査法に基づくパリティを付加した新たな送信データを生成し、切替部１２に出力する。
【００３３】
この所定のパリティ検査法として、送受間で予め定めたパリティ検査の一例であるＣＲＣ（Cyclic Redundancy Check）、誤り訂正符号化にも用いられるＢＣＨ符号（Bose-Chaudhuri-hocquenghem）、ＲＳ（Reed-Solomon）符号、ＬＤＰＣ（Low Density Parity Check）符号等を使用できる。
【００３４】
このようにして、測定用データ生成部１１は、ビット誤り率測定に係る当該疑似ランダム信号にパリティを付加した送信データを生成し、切替部１２に出力する。
【００３５】
切替部１２は、当該モード設定信号に従い、ビット誤り率測定に係る当該疑似ランダム信号にパリティを付加した送信データをＴＬＶパケット生成部１３に出力する。
【００３６】
ＴＬＶパケット生成部１３は、ＴＬＶパケットのデータ領域に当該疑似ランダム信号にパリティを付加した送信データを格納して変調部１４に出力する。
【００３７】
変調部１４は、所定の変調方式に従い、ＴＬＶパケット生成部１３によって生成したＴＬＶパケットに関して変調処理を施し、送信信号として受信装置２に向けて送信する。
【００３８】
この所定の変調方式として、例えば現時点で次世代の地上デジタル放送で想定されているＢＰＳＫ（π／２シフトＢＰＳＫ）、ＱＰＳＫ、８ＰＳＫ、１６ＡＰＳＫ（１６ＱＡＭ）、３２ＡＰＳＫ（３２ＱＡＭ）、６４ＱＡＭ、２５６ＱＡＭ、１０２４ＱＡＭ、４０９６ＱＡＭ等とすることができ、多重化する際には、ＯＦＤＭ（Orthogonal Frequency Division Multiplexing）などを使用できる。
【００３９】
このように、図２に示す送信装置１は、モード設定信号に従い、通常の送信データに関してＴＬＶパケットを伝送するか、疑似ランダム信号に基づくビット誤り率測定に係る送信データに関してＴＬＶパケットを伝送するかを切り替える。そして、図２に示す送信装置１は、ビット誤り率測定に係るときには当該疑似ランダム信号にパリティを付加した送信データを格納したＴＬＶパケットを受信装置２に向けて伝送する。
【００４０】
（受信装置）
図３は、本発明による一実施形態の受信装置２及び第１実施形態のビット誤り率測定装置３を概略的に示すブロック図である。
【００４１】
図３に示す受信装置２は、図７に例示したような通常の送信データ（固定受信向けデータ、移動受信向けデータ及び伝送制御信号）に関してＴＬＶパケットを受信・再生可能とする装置であるが、上述したモード設定信号に従い、図７に例示したような通常の送信データに関してＴＬＶパケットを受信・再生するか、疑似ランダム信号に基づくビット誤り率測定に係る送信データに関してＴＬＶパケットを受信・再生して図３に示すビット誤り率測定装置３に出力するかを切り替えるようになっている。
【００４２】
より具体的に、図３に示す受信装置２は、図２に示す送信装置１から受信した送信信号を再生してＴＬＶパケットを抽出し出力する装置であり、復調部２１、ＴＬＶパケット抽出部２２、切替部２３、測定用データ誤り判定部２４、及びＴＬＶパケット出力部２５を備える。
【００４３】
特に、測定用データ誤り判定部２４は、当該疑似ランダム信号に基づくビット誤り率測定に係るＴＬＶパケットを受信信号として図３に示すビット誤り率測定装置３に出力する機能部であり、パリティチェック部２４１、及びフラグ設定部２４２を備える。
【００４４】
尚、図３に示す受信装置２においては、図２に示す送信装置１に対応させた構成要素として復調部２１のみを図示しているが、誤り訂正復号処理やデインターリーブ処理等の図示を省略している。
【００４５】
ここで、図３に示す受信装置２は、従来技法に基づくビット誤り率測定に係る受信装置と比較して、測定用データ誤り判定部２４（パリティチェック部２４１及びフラグ設定部２４２）を備える点で相違している。
【００４６】
まず、復調部２１は、図２に示す送信装置１から送信信号を受信し、該送信信号に対し送信装置１側と対応する当該所定の変調方式に従う復調処理を施し、ＴＬＶパケット抽出部２２に出力する。
【００４７】
ＴＬＶパケット抽出部２２は、復調部２１によって復調処理を施した信号からＴＬＶパケットを抽出し、切替部２３に出力する。
【００４８】
切替部１２は、当該モード設定信号に従い、ビット誤り率測定に係る当該疑似ランダム信号にパリティが付加されたＴＬＶパケットを測定用データ誤り判定部２４におけるパリティチェック部２４１に出力する。本実施形態に係るモード設定信号は、図３に示すビット誤り率測定装置３から通信路経路で送信され、ビット誤り率測定装置３側からビット誤り率測定に係る測定開始を遠隔制御可能となっている。これにより、ビット誤り率測定に係る受信信号を同期させてビット誤り率測定装置３に出力することができる。
【００４９】
パリティチェック部２４１は、ビット誤り率測定に係る当該疑似ランダム信号にパリティが付加されたＴＬＶパケットを入力し、送信装置１側の当該所定のパリティ検査法に基づいた再生処理を施してパリティチェックを行い、そのパリティエラーの有無（パリティエラーの有りと無しのいずれか一方、又はその双方）を示す情報を該ＴＬＶパケットと共にフラグ設定部２４２に出力する。
【００５０】
フラグ設定部２４２は、パリティチェック部２４１から得られたパリティエラーの有無（パリティエラーの有りと無しのいずれか一方、又はその双方）を示す情報をフラグとして、該ＴＬＶパケットのＴＬＶパケット内のパケット種別領域の未定義項目に設定して、ＴＬＶパケット出力部２５に出力する。
【００５１】
ここで、図４を参照して、ＴＬＶパケット内のパケット種別領域の未定義項目について説明する。図４（ａ）, （ｂ）は、それぞれＴＬＶパケットの信号フォーマットを示す図である。ＴＬＶパケットは図４（ａ）に示すようにＴＬＶパケットのパケット種別領域がある。そこで、図４（ｂ）に示すように、フラグ設定部２４２は、ＴＬＶパケットのパケット種別領域にフラグを設定する際に用いる未定義項目として、例えば「0x04」をパリティエラー無し、「0x05」をパリティエラー有りとすることが考えられる。尚、エラーの有りのみ又は無しのみを示すフラグとして、１つの未定義項目のみ使用する形態でもよい。
【００５２】
ところで、フラグが挿入されたＴＬＶパケットは、通常の受信データを構成するＴＬＶパケットとはパケット種別領域が規定の値と異なるため、本例では切替部２３により切り替えるようにして、通常の受信データを構成するＴＬＶパケットの受信に対し支障が生じないようにしている。
【００５３】
最終的に、ＴＬＶパケット出力部２５は、パリティエラーの有無（パリティエラーの有りと無しのいずれか一方、又はその双方）を示すフラグが設定されたＴＬＶパケットを、図３に示すビット誤り率測定装置３に出力する。
【００５４】
（ビット誤り率測定装置）
図３に示すように、第１実施形態のビット誤り率測定装置３は、図３に示す受信装置２から、パリティエラーの有無（パリティエラーの有りと無しのいずれか一方、又はその双方）を示すフラグが設定されたＴＬＶパケットを受信信号として入力し、ビット誤り率を測定する機能部であり、同期確立部３１、測定制御部３２、パリティエラー判定部３３、疑似ランダム信号データ生成部３４、及びビット誤り率算出部３５を備える。
【００５５】
同期確立部３１は、パリティエラーの有無（パリティエラーの有りと無しのいずれか一方、又はその双方）を示すフラグが設定されたＴＬＶパケットを受信信号として入力し、測定制御部３２の制御によって、送信装置１側の疑似ランダム信号と同一の擬似ランダム信号を自己生成可能とするようＴＬＶパケットの受信の同期を確立してパリティエラー判定部３３に出力する。
【００５６】
測定制御部３２は、送信装置１側とビット誤り率測定装置３側とで同期させた擬似ランダム信号を処理できるように、同期確立部３１及び疑似ランダム信号データ生成部３４を制御する。また、本例の測定制御部３２は、ビット誤り率測定に係る測定開始に関して、操作者の指示に従い当該モード設定信号を通信路経路で送信装置１及び受信装置２に出力する。また、本例のビット誤り率測定装置３における測定制御部３２を外部（送信側や受信側）から制御する制御装置を設けてもよい。更には、ビット誤り率測定装置３を受信側だけでなく送信側にも設置するなど複数個所に設置し、例えば送信装置１の操作者が測定開始する構成とすることもできる。また、モード設定信号を用いない場合には、或る時刻で測定開始するよう送信装置１及び受信装置２の切り替え動作を行う構成としてもよい。ただし、ビット誤り率測定装置３側で測定開始を操作者によって遠隔制御できる構成とすることで利便性が向上する。
【００５７】
パリティエラー判定部３３は、当該同期を確立したＴＬＶパケットのパケット種別領域の内容（フラグ）を基にパリティエラーの有無を判定し、その判定結果を示す情報を該ＴＬＶパケットと共にビット誤り率算出部３５へ出力する。
【００５８】
疑似ランダム信号データ生成部３４は、測定制御部３２の制御によって、同期確立部３１と同様に送信装置１側の疑似ランダム信号との同期を確立し、伝送エラーが無ければ送信装置１側と同一の疑似ランダム信号を同期して自己生成し、ビット誤り率算出部３５へ出力する。
【００５９】
ビット誤り率算出部３５は、ビット誤り率を測定する際に、該パリティエラーの判定結果を基に、総ビット数をカウントしながら、パリティエラーが有ることを示すＴＬＶパケットに対してのみ送信装置１によって生成した擬似ランダム信号と、当該自己生成した擬似ランダム信号とを比較して誤りビット数をカウントし、パリティエラーが無いことを示すＴＬＶパケットに対しては誤りビット数を０とみなして誤りビット数のカウントを省略する。そして、ビット誤り率算出部３５は、上述した式（１）に基づき、ビット誤り率を測定し、その測定結果を外部に出力する。
【００６０】
通常、パリティエラーが有るＴＬＶパケットは、パリティエラーが無いＴＬＶパケットよりもきわめて少ないことが多い。このため、ビット誤り率の測定に係る負荷を低減し、高効率化を図ることができる。
【００６１】
（全体動作）
図５（ａ）は、デジタル放送のビット誤り率を測定する際の従来技法に基づく比較例の伝送システムの動作を示すフローチャートであり、図５（ｂ）は本発明の係る第１実施形態の伝送システムの動作を概略的に示すフローチャートである。
【００６２】
まず、図５（ａ）に示すように、従来技法によれば、送信装置側で、疑似ランダム信号のデータの生成し（ステップＳ１）、疑似ランダム信号のデータのみを格納したＴＬＶパケットを生成し（ステップＳ２）、そのＴＬＶパケットに対して変調処理を施した送信信号を伝送するものとなる（ステップＳ３）。
【００６３】
続いて、図５（ａ）に示すように、従来技法によれば、受信装置側で、当該送信信号を受信して復調することで、疑似ランダム信号のデータのみを格納したＴＬＶパケットを抽出し、ビット誤り率測定装置に出力するものとなる（ステップＳ４）。
【００６４】
続いて、図５（ａ）に示すように、従来技法によれば、ビット誤り率測定装置側で、受信装置から得られる当該ＴＬＶパケットを入力して、全ＴＬＶパケットを対象としたビット誤り率を測定するものとなる（ステップＳ５）。このため、ビット誤り率測定装置の負荷が大きくなり改善の余地があった。
【００６５】
一方、図５（ｂ）に示すように、本発明によれば、送信装置１側で、疑似ランダム信号データ生成部１１１により、疑似ランダム信号のデータの生成し（ステップＳ１Ａ）、且つパリティビット付加部１１２により、疑似ランダム信号のデータに対してパリティビットを付加したデータを生成する（ステップＳ１Ｂ）。
【００６６】
続いて、図５（ｂ）に示すように、本発明によれば、ＴＬＶパケット生成部１３により、疑似ランダム信号に対してパリティビットを付加したデータを格納したＴＬＶパケットを生成し（ステップＳ２Ａ）、変調部１４により、そのＴＬＶパケットに対して変調処理を施した送信信号を伝送する（ステップＳ３Ａ）。
【００６７】
続いて、図５（ｂ）に示すように、本発明によれば、受信装置２側で、復調部２１により、当該送信信号を受信して復調することで、疑似ランダム信号に対してパリティビットを付加したデータを格納したＴＬＶパケットを抽出する（ステップＳ４Ａ）。そして、パリティチェック部２４１はパリティチェックを行い、フラグ設定部２４２はパリティエラーの有無（パリティエラーの有りと無しのいずれか一方、又はその双方）を示す情報をフラグとして、該ＴＬＶパケットのＴＬＶパケット内のパケット種別領域の未定義項目に設定する（ステップＳ４Ｂ）。そして、受信装置２側で、ＴＬＶパケット出力部２５により、該フラグが設定されたＴＬＶパケットをビット誤り率測定装置３に出力するものとなる。
【００６８】
続いて、図５（ｂ）に示すように、本発明によれば、ビット誤り率測定装置３側で、同期確立部３１、測定制御部３２、パリティエラー判定部３３、及び疑似ランダム信号データ生成部３４の機能により、受信装置２から得られる当該ＴＬＶパケットを同期確立して入力し、ビット誤り率算出部３５により、パリティエラーの有るＴＬＶパケットのみを対象としたビット誤り率の測定を行う（ステップＳ５Ａ）。
【００６９】
これにより、本実施形態の送信装置１、受信装置２、及びビット誤り率測定装置３は、従来技法と比較して、ビット誤り率の測定に係る負荷を低減し、高効率化を図ることができるようになる。
【００７０】
〔第２実施形態〕
上述した第１実施形態では、図３に示したように、受信装置２とビット誤り率測定装置３とを別体に構成した例を説明したが、図６に示すように、これらを一体化した構成とすることもできる。図６は、本発明による第２実施形態のビット誤り率測定装置３を概略的に示すブロック図である。尚、図６において、図３に示すものと同様な構成要素には同一の参照番号を付している。
【００７１】
図６に示すビット誤り率測定装置３は、図３に示した受信装置２及びビット誤り率測定装置３について、一体化しているため、ＴＬＶパケット内のパケット種別領域の未定義項目にパリティエラーの有無（パリティエラーの有りと無しのいずれか一方、又はその双方）を示すフラグを設定する処理を省略したものとなっている。
【００７２】
より具体的に、図６に示すビット誤り率測定装置３は、図２に示す送信装置１からの送信信号を受信してビット誤り率を測定する装置として構成され、復調部３０１及びＴＬＶパケット抽出部３０２を有する受信部３０、同期確立部３１、測定制御部３２、パリティチェック部３３Ａ、疑似ランダム信号データ生成部３４、及びビット誤り率算出部３５を備える。
【００７３】
復調部３０１は、図２に示す送信装置１から送信信号を受信し、該送信信号に対し送信装置１側と対応する当該所定の変調方式に従う復調処理を施し、ＴＬＶパケット抽出部３０２に出力する。
【００７４】
ＴＬＶパケット抽出部３０２は、復調部３０１によって復調処理を施した信号からＴＬＶパケットを抽出し、同期確立部３１に出力する。
【００７５】
同期確立部３１は、ＴＬＶパケット抽出部３０２から入力されたＴＬＶパケットについて、測定制御部３２の制御によって、送信装置１側の疑似ランダム信号と同一の擬似ランダム信号を自己生成可能とするようＴＬＶパケットの受信の同期を確立してパリティチェック部３３Ａに出力する。
【００７６】
測定制御部３２は、送信装置１側とビット誤り率測定装置３側とで同期させた擬似ランダム信号を処理できるように、同期確立部３１及び疑似ランダム信号データ生成部３４を制御するとともに、本例ではビット誤り率測定に係る測定開始を制御可能とするために、操作者の指示に従い当該モード設定信号を通信路経路で送信装置１及び受信装置２に出力する。また、本例のビット誤り率測定装置３における測定制御部３２を外部（送信側や受信側）から制御する制御装置を設けてもよい。更には、ビット誤り率測定装置３を受信側だけでなく送信側にも設置するなど複数個所に設置し、例えば送信装置１の操作者が測定開始する構成とすることもできる。また、モード設定信号を用いない場合には、或る時刻で測定開始するよう送信装置１及び受信装置２の切り替え動作を行う構成としてもよい。ただし、ビット誤り率測定装置３側で測定開始を操作者によって遠隔制御できる構成とすることで利便性が向上する。
【００７７】
パリティチェック部３３Ａは、同期確立部３１から当該同期を確立したＴＬＶパケットを入力し、パリティエラーが有るか否かを判定し、その旨を示す情報を該ＴＬＶパケットと共にビット誤り率算出部３５へ出力する。
【００７８】
疑似ランダム信号データ生成部３４は、測定制御部３２の制御によって、同期確立部３１と同様に送信装置１側の疑似ランダム信号との同期を確立し、伝送エラーが無ければ送信装置１側と同一の疑似ランダム信号を同期して自己生成し、ビット誤り率算出部３５へ出力する。
【００７９】
ビット誤り率算出部３５は、第１実施形態とほぼ同様であるが、ビット誤り率を測定する際に、該パリティチェックの判定結果を基に、総ビット数をカウントしながら、パリティエラーが有ることを示すＴＬＶパケットに対してのみ送信装置１によって生成した擬似ランダム信号と、当該自己生成した擬似ランダム信号とを比較して誤りビット数をカウントし、パリティエラーが無いことを示すＴＬＶパケットに対しては誤りビット数を０とみなして誤りビット数のカウントを省略する。そして、ビット誤り率算出部３５は、上述した式（１）に基づき、ビット誤り率を測定し、その測定結果を外部に出力する。
【００８０】
従って、本実施形態のビット誤り率測定装置３においても、従来技法と比較して、ビット誤り率の測定に係る負荷を低減し、高効率化を図ることができるようになる。
【００８１】
以上の実施形態における受信装置２及びビット誤り率測定装置３は、それぞれコンピューターにより構成することができ、受信装置２及びビット誤り率測定装置３の各処理部を機能させるためのプログラムを用いることができる。具体的には、受信装置２及びビット誤り率測定装置３の各処理部を制御するための制御部をコンピューター内の中央演算処理装置（ＣＰＵ）で構成でき、且つ、各処理部を動作させるのに必要となるプログラムを適宜記憶する記憶部を少なくとも１つのメモリで構成させることができる。即ち、そのようなコンピューターに、ＣＰＵによって該プログラムを実行させることにより、受信装置２及びビット誤り率測定装置３の各処理部の有する機能を実現させることができる。更に、受信装置２及びビット誤り率測定装置３の各処理部の有する機能を実現させるためのプログラムを、前述の記憶部（メモリ）の所定の領域に格納させることができる。そのような記憶部は、装置内部のＲＡＭ又はＲＯＭなどで構成させることができ、或いは又、外部記憶装置（例えば、ハードディスク）で構成させることもできる。また、そのようなプログラムは、コンピューターで利用されるＯＳ上のソフトウェア（ＲＯＭ又は外部記憶装置に格納される）の一部で構成させることができる。更に、そのようなコンピューターに、受信装置２及びビット誤り率測定装置３の各処理部として機能させるためのプログラムは、コンピューター読取り可能な記録媒体に記録することができる。また、受信装置２及びビット誤り率測定装置３の各処理部をハードウェア又はソフトウェアの一部として構成させ、各々を組み合わせて実現させることもできる。
【００８２】
以上、特定の実施形態の例を挙げて本発明を説明したが、本発明は前述の実施形態の例に限定されるものではなく、その技術思想を逸脱しない範囲で種々変形可能である。従って、本発明に係る送信装置１、受信装置２、及びビット誤り率測定装置３は、上述した実施形態の例に限定されるものではなく、特許請求の範囲の記載によってのみ制限される。
【産業上の利用可能性】
【００８３】
本発明によれば、デジタル放送のビット誤り率を効率よく測定できるようになるので、デジタル放送のビット誤り率測定の用途に有用である。
【符号の説明】
【００８４】
１  送信装置
２  受信装置
３  ビット誤り率測定装置
１１  測定用データ生成部
１２  切替部
１３  ＴＬＶパケット生成部
１４  変調部
２１  復調部
２２  ＴＬＶパケット抽出部
２３  切替部
２４  測定用データ誤り判定部
２５  ＴＬＶパケット出力部
３０  受信部
３１  同期確立部
３２  測定制御部
３３  パリティエラー判定部
３３Ａ  パリティチェック部
３４  疑似ランダム信号データ生成部
３５  ビット誤り率算出部
１１１  疑似ランダム信号データ生成部
１１２  パリティビット付加部
２４１  パリティチェック部
２４２  フラグ設定部
３０１  復調部
３０２  ＴＬＶパケット抽出部
【図１】
2019216327.tif 000003
【図２】
2019216327.tif 000004
【図３】
2019216327.tif 000005
【図４】
2019216327.tif 000006
【図５】
2019216327.tif 000007
【図６】
2019216327.tif 000008
【図７】
2019216327.tif 000009